(57)【要約】      （修正有）【課題】ハンドリングフリーであり且つ既存の自転車に容易に取付けることの出来る自転車用のカゴを提供する。【解決手段】カゴの背面に上下二箇所に、上方はハンドル軸に回転自由に被さるリング状取付部と、下方には自転車本体フレームと一体化されているハンドル軸を支持する支持用筒体に抱かせて締め付け固定する。【選択図】図１
0003115009.tif 000002
【実用新案登録請求の範囲】
【請求項１】
自転車本体のフレームと一体化され前輪フォークに連結しているハンドル軸を摺動自在に覆っている支持用筒体に着脱自在に締め付け接続できる結合手段に拠り固定される取付部と、その上方において、前記ハンドル軸に着脱自在且つ回動可能な緩い嵌挿手段により接続される取付部の、上下二箇所の取付部を背面に設けることを特徴とする自転車用カゴ。
【考案の詳細な説明】
【技術分野】
【０００１】  本考案は、自転車のハンドルの回転に依る向きに依存しない自転車用カゴに関するものである。
【背景技術】
【０００２】  従来の自転車用荷カゴは、自転車のハンドル軸に直接取付けネジ等で固定するものが殆どであり、そのためにハンドルとともに回転し、カゴ内に収納している物品の重量の影響を受けて転倒の一原因ともなっている。この状況に鑑み、上記問題を解決するための以下のようなカゴ取付け技術が公知されている。
自転車本体のフレームに固定しているハンドルパイプの前方に籠掛片を突設しこの籠掛片に籠の背面に固定するＬ字状の取付片を固定して解決する籠の取付け具、自転車前荷籠取付け金具にフランジを形成し、このフランジ部にハンドルパイプを固着する取付け金具を介して荷籠を車体と一体化されているハンドルパイプに取付ける取付け具及びハンドルを回転自在に支持する第１ヘッドとサドルの間に前輪フォークを回転自在に支持する第２ヘッドを設ける自転車の両ヘッド間に荷籠を本体のフレームに設ける台座に配置し固定する自転車等である。
【特許文献１】  実開昭６１−１３９８８１号公報
【特許文献２】  特開平９−１０９９６６号公報
【特許文献３】  特開２００５−１２５９２２号公報
【考案の開示】
【考案が解決しようとする課題】
【０００３】  本考案は、前記荷籠がハンドル操作による回転の影響を除去し運転上の安全性を確保しようとする従来公知技術における自転車用カゴの取付け方の改良に関り、より容易に且つ既存の自転車に取付けることの出来るカゴを提供することが課題とするものである。
【課題を解決するための手段】
【０００４】  自転車本体と一体化されているハンドル軸を支持する支持用筒体に着脱自在に締め付け固定する結合手段と、その上方において前記ハンドル軸に着脱且つ回転自在に結合する緩い嵌挿手段を背面に設ける自転車用カゴとして、ハンドリングフリーを実現するものである。
【考案の効果】
【０００５】  ハンドル軸のハンドルパイプとも言われる自転車本体のフレームと一体化されている支持用筒体の前方にカゴが位置し、回転するハンドル軸には緩く被さるリング状取付具等の取付け自在の嵌挿手段で結合してハンドリングフリーとなり、支持用筒体には着脱自在の蝶番等で筒体を挟んで強固に締め付け固定する結合手段をカゴの背面上下二箇所に施すことで既存の自転車に容易に取付けることが出来、前述の従来公知の技術では尚解消されずに残されていた、自転車側に特別の装備をする必要性、一箇所での固定による走行中における荷籠の不安定性を極めて簡単なカゴの構成により解消できるものである。
【考案を実施するための最良の形態】
【０００６】  以下、本考案の実施態様を図面に示す実施例に従って詳述する。
図１は、本考案のカゴを自転車に取付けた状態を示すものであるが、自転車本体のフレームと一体化されているハンドル３の操作用ハンドル軸２と、これを支持する支持用筒体１にそれぞれ接続する結合手段としての回転自在な軸取付リング８と締め付け固定する筒体取付具４を、カゴ蓋支持板１４の両側でヒンジ結合するカゴ蓋１３を有する網目状カゴ本体１２の背面に、前面支持板１６を介してカゴ本体１２の背面を挟持固定する背面支持板１５に設けた実施例である。【０００７】  図２及び図３は、カゴの一つの実施例を示したものである。比較的硬質の線材等で形成する網目状のカゴ本体１２の低部前方に設ける断面Ｌ字形のカゴ蓋止板１４の両端部でピンと穴等の嵌合手段により回転自在にヒンジ結合し開閉できるカゴ蓋１３によって折り畳むことの出来るカゴとするものである。
本考案におけるカゴとしては、本実施例に示す以外に蓋のないカゴの使用も勿論可能であり、要するに、カゴ背面の上下二箇所に、上方ではハンドル軸２を回転自在に嵌挿する軸取付リング８等の結合手段を有する取付部と下方には自転車本体のフレームと一体化されている支持用筒体１に締め付け固定できる結合手段による取付部を設けことに拠って、ハンドル３の回転に追従することなく向きが一定しているハンドリングフリーとすることが考案の技術である。
又、カゴを形成する線材等の材質を限定するものでもなく適に選択されるものである。【０００８】  図４は上方取付部の実施例である。カゴ本体１２の背面を挟持固定する前面支持板１６と背面支持板１５の背面支持板１５にボルト・ナット等の固定材により固定する軸取付リング８であり、一端側面で蝶番１０により結合し他端側面でリング取付ボルト・ナット１１により、ハンドル軸２に自由に着脱できるリング取付片９を設ける開閉リングとするもので、ハンドル軸２の外径より大きい内径にしてハンドル軸２が自由に回転出来るようになっている。
勿論、この実施例以外の二つ割れリング等の両端部をビスで固定する等のリングによって上方取付部を構成する等は設計上の問題であり、その選択は自由である。【０００９】  図５は下方取付部の実施例である。ハンドル軸２を被って支持する支持用筒体１の外側面に圧着し固定する縦方向に割られている筒体取付具４と筒体取付片５からなり、筒体取付片５の首部で蝶番６によりヒンジ結合し筒体取付具４と取付ボルト・ナット７で結合して成る、自由に支持用筒体１に外側から着脱できる取付部である。筒体取付具４及び筒体取付片５を共に、カゴ本体１２の背面に設ける背面支持板４に固定するもので、この取付方法は前述の上方取付部と同様の手段によっている。
本実施例以外に、図示はしないが、二つわれのリングによって支持用筒体１に抱かせてビス等で締め付け固定し、該リングに首部を設けてこの首部をカゴの背面支持板１５に固定する等の手段による取付部の形成は自由であり、外側から着脱自在に支持用筒体１に抱かせて固定できるものであればよい。
【図面の簡単な説明】
【００１０】
【図１】  本考案の一実施例を示す使用状態外観図である。
【図２】  カゴの例を示す一実施例の外観図である。
【図３】  同上実施例の他の状態を示す外観図である。
【図４】  上方取付部の実施例を示す横断面図である
【図５】  下方取付部の実施例を示す横断面図である。
【符号の説明】
【００１１】１．  支持用筒体
２．  ハンドル軸
３．  ハンドル
４．  筒体取付具
５．  筒体取付片
６．  蝶番
８．  軸取付リング
９．  リング取付片
１２．カゴ本体
１３．カゴ蓋
１４．カゴ蓋止板
１５．背面支持板
１６．前面支持板
【図１】
0003115009.tif 000003
【図２】
0003115009.tif 000004
【図３】
0003115009.tif 000005
【図４】
0003115009.tif 000006
【図５】
0003115009.tif 000007